(57)【要約】【課題】音響装置の機能と鍵盤楽器の機能を備えると共に小型化が可能なオーディオ装置の提供。【解決手段】オーディオ装置１は本体１０と本体１０の鍵盤部着脱部１８に着脱可能に構成された鍵盤部３０からなる。また、鍵盤部３０には複数の操作キー３１と複数の鍵盤からなるキーボード３３が備えられており、鍵盤部３０で行われたキー操作による指示及び鍵盤楽曲の演奏結果（演奏データ）は赤外線通信等の近接通信方式により鍵盤部３０の発光部３５から出力され本体１０の受光部１５（１５’）で受信される。本体側１０側では受信した演奏データを基に楽音データを生成し、スピーカ１６Ｌ、１６Ｒから外部に出力する。また、ＣＤやＭＤ等に記憶された楽曲を背景曲として合成することもできる。【選択図】  図１
2004334110.tif 000002
【特許請求の範囲】
【請求項１】
複数の鍵盤及びこの鍵盤の操作によって発生する音データを出力する出力部を備えた鍵盤部と、
この鍵盤部が着脱可能に装着される鍵盤部着脱部と、前記鍵盤部の前記出力部から出力される音データを入力する入力部と、楽音データが記憶された記憶媒体から前記楽音データを読み出す読み出し部と、前記入力部から入力された音データに対応する音および前記記憶媒体から読み出された楽音データに対応する楽音とを出力する音響発生部とを備えた音響出力部と、
からなることを特徴とするオーディオ装置。
【請求項２】
前記鍵盤部には、更に、前記音響出力部の動作を制御する複数の操作キーを備えたことを特徴とする請求項１記載のオーディオ装置。
【請求項３】
前記音響発生部は、更に、前記入力部から入力された音データに対応する音と前記記憶媒体から読み出された楽音データに対応する楽音とを合成する合成手段を備えたことを特徴とする請求項１記載のオーディオ装置。
【請求項４】
前記音響発生部は、更に、前記入力部から入力された音データに対応する楽音を発生する音源発生手段を備えたことを特徴とする請求項１又は３記載のオーディオ装置。
【請求項５】
前記鍵盤部の出力部及び前記音響出力部の入力部はデータを近接通信により送受信する近接通信手段を備えたことを特徴とする請求項１記載のオーディオ装置。
【発明の詳細な説明】
【０００１】
【発明の属する技術分野】
本発明は、音響装置の機能と鍵盤楽器の機能とを備えたオーディオ装置に関する。
【０００２】
【従来の技術】
音響装置として、ＣＤ、ＭＤ、カセットテープなどを再生できるオーディオ装置（例えば、特許文献１参照）や、ＡＭ／ＦＭラジオを聞くことができるラジオカセットレコーダ（例えば、特許文献２参照）がある。また、鍵盤を備えて演奏できる電子ピアノ等の鍵盤楽器がある（例えば、特許文献３参照）。
【０００３】
【特許文献１】
特開２０００−２６０１０６公報
【特許文献２】
特開２０００−１１４９９８公報
【特許文献３】
特開２０００−２９８４２６公報
【０００４】
【発明が解決しようとする課題】
しかしながら、これらの音響装置や鍵盤楽器はいずれも単体として商品化されており、オーディオと演奏の両方を楽しむには音響装置と鍵盤楽器をそれぞれ購入しなければならないが、比較的大きなものになると高価になるばかりか、比較的広い保管場所（スペース）を必要とするといった問題点があった。特に、両者にあっては、高品質かつ大音量で聞くためには大きなスピーカを備えた装置が必要となり、高価格と大型化の一因となっていた。
【０００５】
本発明は上記課題を解決するためになされたものであり、音響装置の機能と鍵盤楽器の機能を備えると共に小型化が可能なオーディオ装置の提供を目的とする。
【０００６】
【課題を解決するための手段】
上記課題を解決するために請求項１記載の発明では、複数の鍵盤及びこの鍵盤の操作によって発生する音データを出力する出力部を備えた鍵盤部と、この鍵盤部が着脱可能に装着される鍵盤部着脱部と、前記鍵盤部の前記出力部から出力される音データを入力する入力部と、楽音データが記憶された記憶媒体から前記楽音データを読み出す読み出し部と、前記入力部から入力された音データに対応する音および前記記憶媒体から読み出された楽音データに対応する楽音とを出力する音響発生部とを備えた音響出力部と、からなることを特徴とする。これにより、音響装置の機能を備えた音響出力部と鍵盤楽器の機能を備えた鍵盤部が音響出力部を共有するので、音響装置と鍵盤楽器の機能を備え、且つ小型のオーディオ装置を実現できる。
【０００７】
また、請求項２記載の発明では、鍵盤部には音響出力部の動作を制御する複数の操作キーを備えたことを特徴とする。これにより、音響出力部から鍵盤部を取り外しても鍵盤部で音響出力を操作できる。
【０００８】
更に、請求項３記載の発明では、音響発生部は入力部から入力された音データに対応する楽音と記憶媒体から読み出された楽曲データに対応する楽曲とを合成する合成手段を備えたことを特徴とする。これにより、記憶媒体から再生した楽曲を背景音楽とし、ユーザの演奏楽音を合成できるので、ユーザの鍵盤操作により演奏された曲に所望の背景音楽を配することができ、ユーザは臨場感のある演奏を行うことができる。
【０００９】
また、請求項４記載の発明では、音響発生部は入力部から入力された音データに対応する楽音を発生する音源発生手段を備えたことを特徴とする。更に、請求項５記載の発明では、鍵盤部の出力部及び音響出力部の入力部はデータを近接通信により送受信する近接通信手段を備えたことを特徴とする。これにより、音響出力部から鍵盤部を取り外しても、音響出力部は鍵盤操作によるデータを入力することができる。
【００１０】
【発明の実施の形態】
図１は本発明の実施の形態であるオーディオ装置の外観図であり、オーディオ装置１は本体１０と鍵盤部３０とからなる。鍵盤部３０は本体１０の鍵盤部着脱部１８に着脱可能に構成されており、保管時又は携帯時には本体１０に装着して一体とし、演奏時には図示のように本体１０から取り外して用いることもできるし、取り外さず装着したまま用いることもできる。
（本体）
本体１０の前面中央部にはＣＤ（コンパクトディスク）着脱部１１と、ＭＤ（ミニディスク）着脱部１２と、カセットテープ着脱部１３とが設けられており、前面両側部にはそれぞれスピーカ１６Ｌ、１６Ｒとが設けられている。また、スピーカ１６Ｌ、１６Ｒの下方には、データを光学的に送出するための発光部１４と、鍵盤部３０の発光部３５（図２参照）から送出されるデータを受信するための受光部１５とが設けられている。なお、前記発光部１４は赤外線通信（或いはブルー・ツゥース（ｂｌｕｅ  ｔｏｏｔｈ）等の近距離通信方式）によって光に変換したデータを外部に送出する。また、受光部１５で受信するデータも同じ近距離通信方式によって鍵盤部３０の発光部３５から送出される。なお、後述する着脱検出部１９の検出によって、発光部１４と受光部１５は鍵盤部３０が本体１０から取り外された状態で使用される場合には機能するが、鍵盤部３０が本体１０の鍵盤部装着部１８に装着された状態の場合は機能が停止される。
【００１１】
また、本体１０の上面には前述した如く、鍵盤部３０を着脱可能に構成した鍵盤部着脱部１８が設けられている。鍵盤部着脱部１８の長手方向のサイズは鍵盤部３０の長手方向よりやや大きいか略同等のサイズである。また、鍵盤部着脱部１８は鍵盤部３０を着脱可能な構造を備えている。着脱可能な構造として、例えば、鍵盤部着脱部１８の端部（両側部）を鍵盤部３０の端部（両側部）に嵌合可能に構成することもできるが、これに限定されず公知の方法によればよい。
【００１２】
鍵盤部着脱部１８には鍵盤部３０の着脱を検出する着脱検出部１９が設けられている。また、鍵盤部着脱部１８の後部側面には、上述した近距離通信方式と同じ通信方式により、データを送出するための発光部１４’と、鍵盤部３０の発光部３５から送出されるデータを受信するための受光部１５’とが設けられており、発光部１４’と受光部１５’との距離は発光部１４と受光部１５との距離と略等しい。なお、発光部１４’と受光部１５’とは前記着脱検出部１９による検出によって、鍵盤部３０が本体１０に装着されている状態で使用される場合には機能するが、鍵盤部３０が本体１０から取り外された場合は機能が停止される。
【００１３】
更に、本体１０の上面にはラジオ波受信用のアンテナ１７と、オーディオ装置１を携帯又は移動する場合に用いる把手２０が設けられている。なお、把手２０は設けなくてもよい。また、本体１０の電源スイッチは図１の例では左側部に設けられており、図示されていないが、電源スイッチの位置はこれに限定されない。
【００１４】
（鍵盤部）
鍵盤部３０の上面には複数のキー３１−１、・・・、３１−ｊ、３１−ｋと、ディスプレイ画面３２と、キーボード（鍵盤）３３とが設けられている。また、鍵盤部３０の電源スイッチは図１の例では左側部に設けられており、図示されていないが、電源スイッチの位置はこれに限定されない。
【００１５】
キー３１−１、・・・、３１−ｊ、３１−ｋはＣＤやＭＤ或いはカセットテープの再生／録音、ラジオ受信、鍵盤演奏、鍵盤演奏録音等の機能選択を行う機能制御キーや、音量増減キー、楽音選択キー及びラジオ局選択用の選局キーからなる。
【００１６】
以下の説明では、キー３１−１をモード等を選択する機能制御キー、キー３１−ｊをラジオの選局キー、キー３１−ｋを演奏楽音の音量等を変化させる楽音制御キーとする。なお、選択キーがボタンキーの例を示したがこれに限定されることなく、例えば、機能制御キー３１−１をロータリースイッチにしてもよい。
【００１７】
ディスプレイ画面３２は、選択された機能、つまり選択されているモードを表示したり、選局されたラジオチャンネル等を表示する。また、キーボード３３は音楽演奏用の複数の鍵盤からなる。
【００１８】
また、鍵盤部３０の背部にはデータを送出する発光部３５と本体１０の発光部１４（又は発光部１４’）から送出されるデータを受信する受光部３６が設けられている（図１では発光部３５、受光部３６は背部にあって図示されていない）。なお、発光部３５と受光部３６との距離は本体１０の発光部１４と受光部１５との距離（＝本体１０の発光部１４’と受光部１５’との距離）と略等しい。
【００１９】
また、受光部３６で受信するデータは赤外線通信（或いはブルー・ツゥース等の近距離通信方式）によって本体１０の発光部１４（又は発光部１４’）から送出されるデータであり、発光部３５から送信するデータも同じ近距離通信方式によって送出される。
【００２０】
また、鍵盤部３０の長手方向のサイズは本体１０の上面に設けられた鍵盤部着脱部１８の長手方向よりやや小さいか略同じサイズである。また、鍵盤部３０は鍵盤部着脱部１８に着脱可能な構造を備えている。着脱可能な構造として、例えば、鍵盤部３０の端部（両側部）を鍵盤部着脱部１８の端部（両側部）に嵌合可能に構成することもできるが、これに限定されず公知の方法によればよい。
【００２１】
（使用時の操作及び動作例）
オーディオ装置１でＣＤに録音された音楽等を再生したり、音楽等を録音する場合は本体１０のＣＤ着脱部１１にＣＤを挿入して鍵盤部３０の機能制御キー３１−１で「再生」モードを選択する。
【００２２】
ＭＤ又はカセットテープに録音された音楽等を再生したり、音楽等を録音する場合はＭＤ着脱部１２又はカセット着脱部２０にＭＤ又はカセットテープを挿入して鍵盤部３０の機能制御キー３１−１で「再生」モードを選択する。また、ラジオ放送を聞く場合は鍵盤部３０の選局キー３１−ｊを操作して所望のチャンネルを選択してから機能制御キー３１−１で「再生」モードを選択する。
【００２３】
また、鍵盤操作により演奏する場合は機能制御キー３１−１で「演奏」モード（例えば、「キーボードのみの演奏」モードや「背景音楽付き演奏」）を選択する。また、演奏前或いは演奏中に楽音を変化させたい場合は楽音制御キー３１−ｋを操作してからキーボード３３を操作すればよい。また、機能制御キー３１−１で「演奏／録音」モードを選択することにより、ＣＤ、ＭＤ又はカセットテープに演奏結果を録音することもできる。
【００２４】
なお、上記使用の際、鍵盤部３０を本体１０から取り外して上述した各種操作を行うこともできるし、鍵盤部３０を本体１０に装着したまま上述した各種操作を行うこともできる。鍵盤部３０の着脱を行うと着脱検出部１９から着脱検出信号が本体１０の制御部５１（図２）に送出される。
【００２５】
つまり、鍵盤部３０が本体１０から取り外された場合は取り外し検出信号が着脱検出部１９から制御部５１に送られ、本体１０の発光部１４’及び受光部１５’の機能は停止され、発光部１４及び受光部１５が機能可能とされる。また、鍵盤部３０が本体１０に装着された場合は装着検出信号が着脱検出部１９から制御部５１に送られ、本体１０の発光部１４及び受光部１５の機能は停止され、発光部１４’及び受光部１５’が機能可能とされる。
【００２６】
鍵盤部３０を本体１０から取り外した場合は、鍵盤部３０の発光部３５を本体１０の受光部１５に対抗させ、鍵盤部３０の受光部３６を本体１０の発光部１４に対抗させるようにし、鍵盤部３０を本体１０から上述したような近接通信方式により規定される所定距離内に位置付けて使用することが望ましい。
上述の如く鍵盤部３０を本体１０に位置付けてから操作を行うと、鍵盤部３０から本体１０に送信する各種データは鍵盤部３０の発光部３５を介して送出され、本体１０の受光部１５を介して本体１０側に取り込まれ、本体１０側の内部回路により、制御データによって指示された動作（ＣＤ、ＭＤ、カセットテープの録音内容の再生又は録音、ラジオ放送の受信／出力、演奏出力、演奏結果の録音等）が実行される。一方、本体１０の発光部１４を介して送出された制御データ等は鍵盤部３０の受光部３６を介して鍵盤部３０側に取り込まれる。
【００２７】
また、鍵盤部３０を本体１０に装着したまま操作する場合は、鍵盤部３０から本体１０に送信する各種データは鍵盤部３０の発光部３５を介して送出され、本体１０の受光部１５’を介して本体１０側に取り込まれ、本体１０側の内部回路により、制御データによって指示された動作が実行される。一方、本体１０の発光部１４’を介して送出された制御データ等は鍵盤部３０の受光部３６を介して鍵盤部３０側に取り込まれる。
【００２８】
（内部回路構成）
図２は本発明のオーディオ装置の内部構成の一実施例を示すブロック図である。
【００２９】
＜鍵盤部の構成例＞
鍵盤部３０は、バス４８を介して制御部（ＣＰＵ）４１と接続する機能制御キー３１−１、・・・、選局キー３１−ｊ、楽音制御キー３１−ｋ、キーボード（鍵盤）３３、ＲＯＭ４２、ＲＡＭ４３、表示部４４、送信制御部４５及び受信制御部４６が接続されており、また、電源回路４９と、送信制御部４５によって発光制御される発光部３５と、受信制御部４６によって受信制御される受光部３６とを備えている。
【００３０】
以下の説明では送信制御部４５及び受信制御部４６がＩｒＤＡ（Ｉｎｆｒａｒｅｄ  Ｄａｔａ  Ａｓｓｏｃｉａｔｉｏｎ）規格の赤外線通信方式による通信制御を行う場合を例とするが、通信方式は赤外線通信方式に限定されない。つまり、近距離通信方式であればよく、本体１０の通信方式と同じ方式であればよい。また、赤外線通信方式の場合は実施例ではＩｒＤＡ規格としたがＩｒＤＡ規格に限定されない。
【００３１】
機能制御キー３１−１、・・・、選局キー３１−ｊ、楽音制御キー３１−ｋ、やキーボード３３が操作されると操作された鍵盤に対応した音データ（音高や音調を示すデジタルデータ）が制御部４１に送出される。
【００３２】
制御部４１はＣＰＵ（又は、ＭＰＵ）からなり、バス４８に接続され、キー３１−１、・・・３１−ｊ、３１−ｋや、キーボード３３、表示部４４、送信制御部４５、受信制御部４６に制御データを送信して動作を制御し、キー３１−１、・・・３１−ｊ、３１−ｋから送られてくる状態信号や、キーボード３３から送られてくるデジタルデータ（演奏データ）を受け取って処理を実行する。
【００３３】
ＲＯＭ４２には、上述した制御部４１の動作手順を含む鍵盤部制御プログラム、例えば、鍵盤部３０全体の動作制御手順や、キー３１−１、・・・３１−ｊ、３１−ｋや、キーボード３３、キーやキーボード３３から受け取った電気信号に基づく処理手順を含むプログラム群等を含む制御プログラムや、本体１０の動作手順を含む本体制御プログラムや、制御プログラムの実行に必要な定数、表示用のメッセージデータ等が格納されている。
【００３４】
更に、ＲＯＭ４２に模範演奏用の複数の模範演奏曲データを格納するように構成し、鍵盤演奏モードで模範演奏曲を選択するとＲＯＭ４２から選択された模範演奏曲データが読み出され、送信制御部４５、発光部３５を介して本体１０に送信され、本体１０側で模範演奏曲を出力するように構成することもできる。
【００３５】
鍵盤部制御プログラムは鍵盤部３０（又は本体１０）に電源が投入されるとＲＯＭ４２から読み出され、ＲＡＭ４３に駐在し、制御部４１はこの鍵盤部制御プログラムに従って鍵盤部３０の動作制御や各種処理の実行制御を行う。また、本体制御プログラムは鍵盤部３０への電源投入後、鍵盤部制御プログラムがＲＡＭ４３に取り込まれたあと、ＲＯＭ４２から読み出され制御部４１を介して発光制御部４５に渡され、発光部３５で赤外線データとして外部に送出される。
【００３６】
ＲＡＭ４３は制御プログラムを記憶するプログラム駐在領域や、キー３１−１、・・・３１−ｊ、３１−ｋや、キーボード３３から受け取ったデータを一時的に記憶する作業領域として用いられる。
【００３７】
表示部４４は制御部４１の制御により、キー３１−１、・・・３１−ｊ、３１−ｋから受け取った状態信号に対応するメッセージをディスプレイ画面３２に表示する。例えば、選局キー３１−ｊが操作されると操作回数に応じてチャンネルを昇順に循環表示する（つまり、選局キー３１−ｊを１回押すと「１」チャンネル、２回押すと「２チャンネル」といったように表示され、所望のチャンネルが表示されたとき、機能制御キー３１−１を押すとチャンネルが確定し、ラジオ受信中を意味するメッセージや選局されたチャンネル及び現在の時刻等が表示される。また、楽音制御キー３１−ｋが操作されるとディスプレイ画面３２には演奏前には操作結果、例えば、音量制御操作の場合は音量表示、と時刻等が表示される。また、ＣＤやＭＤ又はカセットテープの再生或いは録音時には「再生中」、「録音中」といった現在の状態を意味するメッセージと時刻等が表示される。
【００３８】
送信制御部４５は制御部４１の制御に基づき制御部４１を介して本体制御プログラムや操作指示データ、演奏データ、或いはチャンネルデータを受け取るとＩｒＤＡ規格の赤外線通信方式により発光部３５を制御し、受け取ったデジタルデータを赤外線データに変換させ、外部に送出（発光）させる。
【００３９】
受信制御部４６はＩｒＤＡ規格の通信制御方式により受光部３６を制御する。受光部３６は受信制御部４６の制御下で赤外線データを受信するとデジタルデータに変換して受信制御部４６に渡し、受信制御部４６は受光部３６から受け取ったデータを制御部４１に送出する。
【００４０】
＜本体の構成例＞
本体１０は図２に示すように、バス５８を介して制御部５１と接続するＲＡＭ５２、着脱検出部５３、受信制御部５４、送信制御部５５、音源発生回路部５６、ＣＤプレーヤー部６１、ＭＤプレーヤー部６２、ラジオ部６３、カセットテープ部６４と、ＣＤプレーヤー部６１、ＭＤプレーヤー部６２、ラジオ部６３、カセットテープ部６４及びバス５８と接続する制御アンプ６５と、音源発生回路部５６及び制御アンプ６５の出力をミキシングして出力するミキシング回路６６と、出力アンプ６７及び左右スピーカ１６Ｌ、１６Ｒと、電源回路６９と、受信制御部５４によって受光制御される受光部１５、１５’と、送信制御部５５によって送信制御される発光部１４，１４’とを備えている。
【００４１】
なお、以下の説明で送信制御部５４及び受信制御部５５がＩｒＤＡ規格の赤外線通信方式による通信制御を行う場合を例とするが、通信方式は赤外線通信方式に限定されない。つまり、近距離通信方式であればよく、鍵盤部３０の通信方式と同じ方式であればよい。
【００４２】
制御部５１はＣＰＵ（又は、ＭＰＵ）からなり、バス５８に接続され、受信制御部５４、送信制御部５５、音源発生回路部５６、ＣＤプレーヤー部６１、ＭＤプレーヤー部６２、ラジオ部６３、カセットテープ部６４と、ＣＤプレーヤー部６１、ＭＤプレーヤー部６２、ラジオ部６３、カセットテープ部６４及びバス５８と接続する制御アンプ６５と、音源発生回路部５６及び制御アンプ６５に制御データを送信して動作を制御する。
【００４３】
また、制御部５１は、着脱検出部５３から鍵盤部３０の取り外し検出信号を受け取ると発光部１４’及び受光部１５’をオフにし、発光部１４及び受光部１５をオンにするよう受信制御部５４及び送信制御部５５を制御し、鍵盤部３０の装着検出信号を受け取ると、発光部１４及び受光部１５をオフにし、発光部１４’及び受光部１５’をオンにするよう受信制御部５４及び送信制御部５５を制御する。
【００４４】
ＲＡＭ５２は本体制御プログラムを記憶するプログラム駐在領域や、受信制御部５４から受け取った鍵盤部３０からの制御データ等を一時的に記憶する作業領域として用いられる。
【００４５】
着脱検出部５３は図１に示したように鍵盤部着脱部１８に設けられ、鍵盤部３０の鍵盤部着脱部１８からの取り外し又は鍵盤部着脱部１８への装着を検出すると検出信号を制御部５１に送出する。着脱検出部１９は感圧素子や光センサ等のセンサ或いはオン／オフスイッチ等で構成することができる。
【００４６】
受信制御部５４はＩｒＤＡ規格の通信制御方式により受光部１５（１５’）を制御する。受光部１５（１５’）は受信制御部５４の制御下で赤外線データを受信するとデジタルデータに変換して受信制御部５４に渡し、受信制御部５４は受光部１５（１５’）から受け取ったデータを制御部５１に送出する。
【００４７】
送信制御部５５は制御部５１の制御に基づき制御部５１を介して制御データを受け取るとＩｒＤＡ規格の赤外線通信方式により発光部１４（１４’）を制御し、制御データ赤外線データに変換させ、外部に送出（発光）させる。
【００４８】
受信制御部５４は受光部１５（１５’）を介して鍵盤部３０から受け取ったデータが本体制御プログラムのときはそれをバス５８を介してＲＡＭ５２に転送する。また、同様にして受け取ったデータが制御データのときはそれを制御部５１に渡す。更に、同様にして受け取ったデータが演奏データのときはそれを音源発生回路部５６に出力する。また、同様にしてチャンネルデータを受け取った場合はそれをバス５８を介してラジオ部６３に送る。
【００４９】
ＣＤプレーヤー部６１は再生モード時には本体１０のＣＤ着脱部１１（図１）に挿入されたＣＤから楽曲データ（デジタルデータ）を読み出してオーディオ信号に再生し、オーディオ信号バス５９を介して制御アンプ６５に送る。また、録音モード時には受信制御部５４を介して鍵盤部３０から取り込んだ演奏信号を録音可能なＣＤ（例えば、ＣＤ−ＲＷ（ＣＤ−ＲｅＷｒｉｔａｂｌｅ））に記録することができる。
【００５０】
ＭＤプレーヤー部６２は再生モード時には本体１０のＭＤ着脱部１２（図１）に挿入されたＭＤから楽曲データ（デジタルデータ）を読み出してオーディオ信号に変換し、オーディオ信号バス５９を介して制御アンプ６５に送る。また、録音モード時には受信制御部５４を介して鍵盤部３０から取り込んだ演奏データ（デジタルデータ）をＭＤに記録する。
【００５１】
ラジオ部６３はアンテナ１７（図１）を含み、制御部５１からの制御信号（ラジオ起動を意味する状態信号）を受け取ると起動し、受信制御部５４から受け取ったチャンネルデータが示すチャンネルのラジオ放送局の放送波をアンテナ１７を介して受信して復調し、取り出した音声信号をオーディオ信号バス５９を介して制御アンプ６５に送る。
【００５２】
カセットテープ部６４は再生モード時には本体１０のカセットテープ着脱部１３（図１）に挿入されたカセットテープから楽曲データ（オーディオ信号）を読み出してオーディオ信号バス５９を介して制御アンプ６５に送る。また、録音モード時には受信制御部５４を介して鍵盤部３０から取り込んだ演奏データ（デジタルデータ）を記録する。
【００５３】
音源発生回路部５６は制御部５１の制御下で、キーボード３３の押鍵による演奏時に鍵盤部３０から受け取ったデジタルデータ（演奏データ）に従って楽音データを発生させ、ミキシング回路６６に送る。
【００５４】
制御アンプ６５はオーディオ信号バス５９及びバス５８に接続されており、ＣＤプレーヤー部６１、又はＭＤプレーヤー部６２、又はカセットテープ部６４からのオーディオ信号に対し制御部５１からの制御信号に基づいて、音量調整用のレベル制御、イコライザ処理、又はトーンコントロール処理を施し、それら処理が施されたオーディオ信号をミキシング回路６６に出力する。また、ラジオ部６３からの音声信号に対し制御部５１からの制御信号に基づいて音量調整用のレベル制御等を施し、ミキシング回路６６に出力する。
【００５５】
ミキシング回路６６は、音源発生回路部５６から供給される楽音データと制御アンプ６５から受け取ったオーディオ信号を合成し、出力アンプ６７を介して左右スピーカ１６Ｌ、１６Ｒに供給する。従って、所望の背景音楽や音響が合成された鍵盤演奏音楽を聴くことができる。
【００５６】
なお、オーディオ信号が供給されず楽曲データのみ供給される場合は楽曲データだけが出力アンプ６７を介して左右スピーカ１６Ｌ、１６Ｒに供給される。従って、背景音楽なしで鍵盤演奏結果のみを聴くこととなる。また、楽曲データが供給されずオーディオ信号のみが供給される場合はオーディオ信号だけが出力アンプ６７を介して左右スピーカ１６Ｌ、１６Ｒに供給される。従って、ＣＤ、ＭＤ或いはカセットテープの再生音楽のみを聞くことができる。また、ラジオ部６３からの音声データはミキシング回路６６を経由して出力アンプ６７を介して左右スピーカ１６Ｌ、１６Ｒに供給される。従って、選択されたラジオ番組の内容が左右スピーカ１６Ｌ、１６Ｒからそのまま出力される。
【００５７】
＜使用時の回路部の動作例＞
▲１▼  起動時
鍵盤部３０及び本体１０の電源をオンにすると、電源回路４９、６９から電源が各回路部に供給され、鍵盤部３０側ではＲＯＭ４２から鍵盤部制御プログラムや定数及びメッセージデータを読み出してＲＡＭ４３に駐在（＝記憶）させると共に、本体制御プログラムを取り出して送信制御部４５、発光部３５を介して本体１０に本体制御プログラムを送信する。本体側では受光部１５’、受信制御部５４を介して鍵盤部３０から本体制御プログラムを受け取ると、それをＲＡＭ５２に駐在（＝記憶）させる。
【００５８】
▲２▼  鍵盤部の着脱時
鍵盤部３０が本体１０の鍵盤部着脱部１８から取り外された場合は、着脱検出部５３は制御部５１に鍵盤部３０の取り外し検出信号を送出する。制御部５１は、着脱検出部５３から鍵盤部３０の取り外し検出信号を受け取ると、発光部１４’及び受光部１５’をオフにし、発光部１４及び受光部１５をオンにするよう受信制御部５４及び送信制御部５５を制御する。
【００５９】
また、鍵盤部３０が本体１０の鍵盤部着脱部１８に装着された場合は、着脱検出部５３は制御部５１に装着検出信号を送出する。制御部５１は鍵盤部３０の装着検出信号を受け取ると発光部１４及び受光部１５をオフにし、発光部１４’及び受光部１５’をオンにするよう受信制御部５４及び送信制御部５５を制御する。
【００６０】
▲３▼  演奏モード時
鍵盤部３０側で、制御部４１はモードの選択を促すメッセージ及びモード表示データをＲＡＭ４３から読み出して表示部４４に送り、ディスプレイ画面３２に表示させる。
【００６１】
ユーザが機能制御キー３１−１でディスプレイ画面３２に表示されているモードのうち「キーボードのみの演奏」モードを選択した後、鍵盤部３０のキーボード３３を操作して演奏を行うと演奏データがバス４８を介して制御部４１に送出される。制御部４１は制御データと共に演奏データを送信制御部４５及び発光部３５を介して赤外線データとして外部に送出（送信）する。
【００６２】
本体１０側では受光部１５（１５’）が赤外線データを受信するとそれを復調しデジタル信号とし、受信制御部５４は復調したデジタル信号に含まれている制御データを調べて受信データの種類を判定し、受信データが演奏データの場合はその演奏データを音源発生回路部５６に送る。音源発生回路部５６は受け取った演奏データを基に楽音データを生成してミキシング回路６６に出力し、出力アンプ６７を介して左右スピーカ１６Ｌ、１６Ｒから鍵盤演奏楽曲を出力させる。
【００６３】
また、ユーザが「背景音楽付き演奏」モードを選択した後、本体１０のＣＤ着脱部１１、ＭＤ着脱部１２、又はカセットテープ着脱部１３のいずれかに背景音楽とする楽曲情報が記録されたＣＤ、ＭＤ、又はカセットテープを装着した後、鍵盤部３０のキーボード３３を操作して演奏を行うと演奏データがバス４８を介して制御部４１に送出される。制御部４１は制御データと共に演奏データを送信制御部４５及び発光部３５を介して赤外線データとして外部に送出する。
【００６４】
また、演奏前又は演奏中に楽音制御キー３１−ｋが操作されると状態信号が制御部４１に送出され、制御部４１は受け取った状態信号を楽音制御用の制御データとして送信制御部４５及び発光部３５を介して赤外線データとして外部に送出する。
【００６５】
本体１０側で、受信制御部５４は受光部１５（１５’）が赤外線データを受信するとそれを復調しデジタル信号とし、受信制御部５４は復調したデジタル信号に含まれている制御データを調べて受信データの種類を判定し、受信データが演奏データの場合はその演奏データを音源発生回路部５６に送る。また、制御データを制御部５１に送る。制御部５１は受け取った制御データを基に所定の制御信号を制御アンプ６５に送る。音源発生回路部５６は入力された演奏データを基に楽音データを生成しミキシング回路６５に出力する。
【００６６】
また、同時に、ＣＤプレーヤー部６１、又はＭＤプレーヤー部６２、又はカセットテープ部６４からの楽曲データ（オーディオ信号）をオーディオ信号バス５９を介して制御アンプ６５に与える。制御アンプ６５は受け取った楽曲データ（オーディオ信号）を制御部５１からの制御信号に基づいて処理し、ミキシング回路６６に出力する。ミキシング回路６６は制御アンプ６５から受け取った楽曲データと音源発生回路部５６から受け取った楽音データとを合成し、出力アンプ６７に出力する。出力アンプは増幅した合成楽曲信号を左右スピーカ１６Ｌ、１６Ｒに与え、背景音楽付き鍵盤演奏楽曲を外部に出力させる。
【００６７】
▲４▼  ＣＤ、ＭＤ、又はカセットテープの再生モード時
鍵盤部３０側では、制御部４１はモードの選択を促すメッセージをＲＡＭ４３から読み出して表示部４４に送って表示させる。ユーザが機能制御キー３１−１により「再生」モードを選択した後、所望の楽曲が記録されたＣＤ、ＭＤ、又はカセットテープを本体１０のＣＤ着脱部１１、ＭＤ着脱部１２、又はカセットテープ着脱部１３に装着した後、鍵盤部３０の機能制御キー３１−１を押すと、制御部４１に状態信号が送出される。制御部４１は状態信号に対応する制御データ（再生指示を意味するコードを含む制御データ）を送信制御部４５及び発光部３５を介して赤外線データとして本体１０に送信する。
【００６８】
本体１０側で、受信制御部５４は受光部１５（１５’）で受光した赤外線データを復調して制御データを取り出し、制御部５１に送る。制御部５１は受け取った制御データを基に所定の制御信号を制御アンプ６５に送る。
【００６９】
ＣＤ着脱部１１にＣＤが装着されている場合は、ＣＤプレーヤー部６１は装着されているＣＤから楽曲データを読み出してオーディオ信号に再生し、オーディオ信号バス５９を介して制御アンプ６５に送る。ＭＤ着脱部１２にＭＤが装着されている場合はＭＤプレーヤー部６２は装着されているＭＤから楽曲データを読み出してオーディオ信号に変換し、オーディオ信号バス５９を介して制御アンプ６５に送る。カセットテープ着脱部１３にカセットテープが装着されている場合はカセットテープ部６４は装着されているカセットテープから楽曲データを読み出してオーディオ信号バス５９を介して制御アンプ６５に送る。制御アンプ６５は入力された楽曲データを制御部５１からの制御信号に基づいて処理し、ミキシング回路６６を介して出力アンプ６７に出力する。出力アンプは増幅した楽曲信号を左右スピーカ１６Ｌ、１６Ｒに与え、再生楽曲を外部に出力させる。
【００７０】
▲５▼  ラジオ受信モード時
鍵盤部３０側では、制御部４１はモード選択を促すメッセージをＲＡＭ４３から読み出して表示部４４に送ってディスプレイ画面３２に表示させる。ユーザが機能制御キー３１−１で「ラジオ受信」モードを選択すると、制御部４１はチャンネル番号データをＲＡＭ４３から読み出して表示部４４に送ってディスプレイ画面３２に表示させる。ユーザが選局キー３１−ｊでチャンネルを選択すると、制御信号及びチャンネルデータがバス４８を介して制御部４１に送出される。制御部４１は状態信号に対応する制御データ（ラジオ起動を意味するコードを含む制御データ）とチャンネルデータを送信制御部４５及び発光部３５を介して赤外線データとして本体１０に送信する。
【００７１】
本体１０側で、受信制御部５４は受光部１５（１５’）で受光した赤外線データを復調して制御データ及びチャンネル番号データを取り出し、制御部５１に送る。制御部５１は受け取った制御データを基に所定の制御信号を制御アンプ６５に送ると共に、ラジオ起動を意味する制御信号とチャンネル番号データをラジオ部６３に送る。
【００７２】
ラジオ部６３は制御部５１からの制御信号を受け取ると起動し、受信制御部５４から受け取ったチャンネルデータが示すチャンネルのラジオ放送局の放送波をアンテナ１７を介して受信して復調し、取り出した音声信号をオーディオ信号バス５９を介して制御アンプ６５に送る。制御アンプ６５は入力された音声信号をミキシング回路６６を介して出力アンプ６７に出力する。出力アンプは増幅した音声信号を左右スピーカ１６Ｌ、１６Ｒに与え、ラジオ音声を外部に出力させる。
【００７３】
上記構成により、オーディオ装置１は音響装置の機能を備えた本体１０と鍵盤楽器の機能を備えた鍵盤部３０がスピーカを共有するので、音響装置と鍵盤楽器の機能を備えつつ、装置の小型化を実現できる。また、鍵盤部３０を着脱自在とし、且つ鍵盤部３０側でオーディオ装置１を操作できるので使用上便利である。また、ＣＤやＭＤ又はカセットテープから再生した背景音楽とユーザの演奏楽音を合成するミキシング回路を設けたので、ユーザのキーボード３３の操作により演奏された曲に所望の背景音楽を配することができ、ユーザは臨場感のある演奏を行うことができる。
【００７４】
なお、上記実施例の説明では本体１０にはプログラム格納用ＲＯＭを設けず、鍵盤部３０から受信した本体制御プログラムをＲＡＭ５２に駐在させるようにしたが、本体１０にバス５８に接続し本体制御プログラムを格納したＲＯＭを備えるようにし、本体１０に電源が投入されるとＲＯＭから読み出され、ＲＡＭ５２に駐在するようにしてもよい（この場合は、鍵盤部３０側ではＲＯＭ４２に本体制御プログラムを格納しないように構成する）。
【００７５】
また、上記実施例の説明では鍵盤部３０を本体１０から取り外した場合は本体１０の発光部１４’と受光部１５’を機能させないように送信制御及び受光制御するものとしたが、鍵盤部３０を本体１０から取り外した場合でも発光部１４’と受光部１５’を機能させるようにしてもよい。このようにした場合はユーザは取り外した鍵盤部３０を台座等に載せて本体１０の鍵盤部着脱部１８と略同じ高さにして受光部３６を本体１０の発光部１４に対抗させ、発光部３５を本体１０の受光部１５に対抗するように位置付けてからキーボード３３の操作を行うことにより演奏を行うことができる。つまり、鍵盤部３０を台座等に載せて操作できるので演奏しやすくなる。
【００７６】
また、上記実施例の説明では鍵盤部３０と本体１０の間のデータ授受を赤外線通信やブルー・ツゥ―ス等の近距離通信方式としたが、鍵盤部３０と本体１０の間のデータ授受無線電波によりデータを搬送する無線通信方式で行うようにしてもよい。
【００７７】
以上、本発明の一実施例について説明したが本発明は上記実施例に限定されるものではなく、種々の変形実施が可能であることはいうまでもない。
【００７８】
【発明の効果】
上記説明したように、本発明によれば、音響装置の機能を備えた音響出力部と鍵盤楽器の機能を備えた鍵盤部が音響出力部を共有するので、音響装置と鍵盤楽器の機能を備えつつ、小型のオーディオ装置を実現できる。
【図面の簡単な説明】
【図１】本発明のオーディオ装置の一実施例の外観図である。
【図２】本発明のオーディオ装置の内部構成の一実施例を示すブロック図である。
【符号の説明】
１  オーディオ装置
１０  本体（音響出力部）
１５、１５’  受光部（入力部、近接通信手段）
１６Ｌ、１６Ｒ  スピーカ（音響発生部）
３０  鍵盤部
３１−１、・・・、３１−ｊ、３１−ｋ  キー（操作キー）
３３  キーボード（鍵盤）
３５  発光部（出力部、近接通信手段）
３６  受光部（近接通信手段）
４５  送信制御部（出力部、近接通信手段）
５４  受信制御部（入力部、近接通信手段）
５５  送信制御部（近接通信手段）
５６  音源発生回路部（音響発生部、音源発生手段）
６１  ＣＤプレーヤー部（読み出し部）
６２  ＭＤプレーヤー部（読み出し部）
６４  カセットテープ部（読み出し部）
６５  制御アンプ（音響発生部）
６６  ミキシング回路（音響発生部、合成手段）
６７  出力アンプ（音響発生部）
【図１】
2004334110.tif 000003
【図２】
2004334110.tif 000004